(57)【要約】      （修正有）【課題】使用者が該操作部もしくは該排気孔等箇所を自分で押し、ブラジャーのパッドの体積の大きさを調整することにより、豊かなバスト曲線を獲得するブラジャーの構造を提供する。【解決手段】ブラジャーの構造は、二つの隣り合う単カップを具え、二個の隣り合う単カップの隣接しない側には背部ベルトが延びる。各単カップ内にはパッド及び該パッドに被覆した該底片層上に挟持層が対応し、且つ両者周辺縁を密封して気室を形成する。該挟持層はそれぞれ入気ブザー孔、操作部及び排気孔を設置し、該挟持層上に表片層を設置してこの両者周辺縁を密封する。【選択図】図１
0003144244.tif 000002
【実用新案登録請求の範囲】
【請求項１】
二つの隣り合う単カップを具え、該二つの隣り合う単カップの両側には背部ベルトが伸び、各単カップ内にはパッド及び該パッドの上縁で被覆し、且つ該単カップの周辺縁に設置した柔軟層を設置するブラジャーの構造において、
該パッドは、底片層を設置し、該底片層の上方は挟持層が対応し、且つ両者の周辺縁を密封して気室を形成し、該挟持層にはそれぞれ入気ブザー孔、操作部及び排気孔を設置し、該挟持層には表片層を被覆し、両者の周辺縁をしっかりと合わせることを特徴とするブラジャーの構造。
【請求項２】
前記表片層は、第一通孔及び第二通孔を設置し、それぞれ該入気ブザー孔及び該排気孔と対応することを特徴とする請求項１記載のブラジャーの構造。
【請求項３】
前記柔軟層は、使用者の方向の表面上にプラス表示及びマイナス表示を設置し、それぞれその内部のパッドの該入気ブザー孔及び該排気孔と対応することを特徴とする請求項１記載のブラジャーの構造。
【請求項４】
前記柔軟層は、更に割り口を設置することを特徴とする請求項１記載のブラジャーの構造。
【請求項５】
前記ブラジャーは、各単カップの上縁にストラップを設置することを特徴とする請求項１記載のブラジャーの構造。
【考案の詳細な説明】
【技術分野】
【０００１】
本考案は、ブラジャーの構造に関するもので、特に使用者がブラジャーのパッドの体積を自分で調整し、豊かなバストを獲得するものである。
【背景技術】
【０００２】
ブラジャーは女性が身につける衣類で女性の自信の象徴と言えるため、各メーカーでは競って市場の開拓をしている。
【０００３】
現在のブラジャーの構造は主に二つの隣り合うカップ両側にそれぞれ背部羽片を設置し、各背部羽片と各カップ上縁にはストラップを設置する。各カップ内にはパッド及びパッド上縁に被覆する内層を設置する。
【０００４】
解決しようとする問題点は、上述の現在のブラジャー構造は機能性に基づき、パッドに中空状の基材で製作し、使用者が着装すると、胸の曲線が立体的に上がる効果を具えているものの、この種の製品は洗濯及び収納に於いて非常に不便である。
【考案の開示】
【考案が解決しようとする課題】
【０００５】
一種のブラジャーを提供し、使用者がブラジャーのパッドの体積を自分で調節し、豊かなバストを獲得することを本考案の目的とする。
【０００６】
上述の目的を達成するため、本考案のブラジャー構造は、二つの隣り合う単カップを具え、二個の隣り合う単カップの隣接しない側には背部ベルトが延びる。各単カップ内にはパッド及び該パッドに被覆し、且つ該単カップ周辺縁に設置した柔軟層を設置する。該パッドには底片層を設置し、該底片層上に挟持層が対応し、且つ両者周辺縁を密封して気室を形成する。該挟持層はそれぞれ入気ブザー孔、操作部及び排気孔を設置し、該挟持層上に表片層を設置してこの両者周辺縁を密封する。
【０００７】
これらによって、実施時、本考案は使用者が自分で該操作部もしくは排気孔を押して作動させる。
【課題を解決するための手段】
【０００８】
請求項１の考案は、二つの隣り合う単カップを具え、該二つの隣り合う単カップの両側には背部ベルトが伸び、各単カップ内にはパッド及び該パッドの上縁で被覆し、且つ該単カップの周辺縁に設置した柔軟層を設置するブラジャーの構造において、
該パッドは、底片層を設置し、該底片層の上方は挟持層が対応し、且つ両者の周辺縁を密封して気室を形成し、該挟持層にはそれぞれ入気ブザー孔、操作部及び排気孔を設置し、該挟持層には表片層を被覆し、両者の周辺縁をしっかりと合わせることを特徴とするブラジャーの構造としている。
請求項２の考案は、前記表片層は、第一通孔及び第二通孔を設置し、それぞれ該入気ブザー孔及び該排気孔と対応することを特徴とする請求項１記載のブラジャーの構造としている。
請求項３の考案は、前記柔軟層は、使用者の方向の表面上にプラス表示及びマイナス表示を設置し、それぞれその内部のパッドの該入気ブザー孔及び該排気孔と対応することを特徴とする請求項１記載のブラジャーの構造としている。
請求項４の考案は、前記柔軟層は、更に割り口を設置することを特徴とする請求項１記載のブラジャーの構造としている。
請求項５の考案は、前記ブラジャーは、各単カップの上縁にストラップを設置することを特徴とする請求項１記載のブラジャーの構造としている。
【考案の効果】
【０００９】
本考案のブラジャーの構造は、使用者が該操作部もしくは該排気孔等箇所を自分で押し、ブラジャーのパッドの体積の大きさを調整することにより、豊かなバスト曲線を獲得するという利点がある。
【考案を実施するための最良の形態】
【００１０】
図１から図５に示すのは、本考案の一種のブラジャーの一実施例で、二つの隣り合う単カップ１０を具え、該二つの隣り合う単カップ１０に隣接しない側面には背部ベルト２０が伸びる。各単カップ１０内にはパッド３０及び該パッド３０上縁で被覆し、且つ該単カップ１０周辺縁に接する一柔軟層４０を設置する。
【００１１】
そのうち、該パッド３０は、底片層３０１を設置し、該底片層３０１上方には挟持層３０２が対応し、且つ両者周辺縁を密封して気室３０３を形成する。該挟持層３０２はそれぞれ一入気ブザー孔３０２１、操作部３０２２及び排気孔３０２３を設置し、該挟持層３０２上には表片層３０４を被覆して両者周辺縁をしっかり合わせる。
【００１２】
該操作部３０２２を使用者が押すと、外の空気を該入気ブザー孔３０２１から該気室３０３内へ吸入する。
【００１３】
該排気孔３０２３は、使用者が押すと、該気室３０３内の空気を排出する。
【００１４】
該表片層３０４には第一通孔３０４１及び第二通孔３０４２を設置し、それぞれ該入気ブザー孔３０２１及び該排気孔３０２３と対応する。
【００１５】
該柔軟層４０は、使用者の方向に向いた表面にプラス表示４０１及びマイナス表示４０２を設置し、それぞれその中にパッド３０の該入気ブザー孔３０２１及び該排気孔３０２３と対応する。
【００１６】
上述の構造を組み合せは、図１から図５に示すとおりで、本考案は柔軟層４０に設置したプラス表示４０１及びマイナス表示４０２を利用し、使用者が着装した時、目で識別し、指で該プラス表示４０１の箇所を押したり、緩めたりすることにより、外界の空気が入気ブザー孔３０２１から該気室３０３内へ入り、パッド３０が膨脹する。中に入る空気の量を必要に応じて制御し、自分でパッド３０の膨脹体積の大きさを調整する。これによって本考案を着装した使用者のバストは豊かになる。反対に該マイナス表示４０２を短く継続して押すと該排気孔３０２３に作用し、該気室３０３内の空気が完全に抜け、パッド３０は膨脹する前の状態に回復するので、洗濯や収納に便利である。  
【００１７】
図６に示すのは、本考案の別の一実施例で、該柔軟層４０に横向き設計の割り口４０３を設置する。該割り口４０３によって使用者はその中の該パッド３０を取り出し、交換もしくは設置することができる。それによって使用者は、洗濯及び収納しやすくなり、便利である。
【００１８】
上述のブラジャーは、更に各単カップ１０の上縁に一ストラップ５０を設置し、使用者が着装した時、該ストラップ５０はその肩部に設置される。
【００１９】
上述に示すとおり、本考案と従来のブラジャー構造を比較すると、使用者が自分でブラジャー内のパッドの体積の大きさを調整し、豊かなバスを獲得するもので、刊行物もしくは公開使用は未見であるため、実用新案登録の要件に符合する。
【図面の簡単な説明】
【００２０】
【図１】本考案の一実施例の立体概略図である。
【図２】本考案のパッドの構造概略図である。
【図３】本考案のカップ内にパッドを設置した概略図である。
【図４】本考案のパッドで気室に外界の空気を吸入した概略図である。
【図５】本考案のパッドで気室内から空気を外へ出す概略図である。
【図６】本考案の別の一実施例の立体概略図である。
【符号の説明】
【００２１】
１０  単カップ
２０  背部ベルト
３０  パッド
３０１  底片層
３０２  挟持層
３０２１  入気ブザー孔
３０２２  操作部
３０２３  排気孔
３０３  気室
３０４  表片層
３０４１  第一通孔
３０４２  第二通孔
４０  柔軟層
４０１  プラス表示
４０２  マイナス表示
４０３  割り口
５０  ストラップ
【図１】
0003144244.tif 000003
【図２】
0003144244.tif 000004
【図３】
0003144244.tif 000005
【図４】
0003144244.tif 000006
【図５】
0003144244.tif 000007
【図６】
0003144244.tif 000008